(57)【要約】      （修正有）【課題】高膨張泡消火設備において、煙状況下における発泡倍率の低減を防止する。【解決手段】筒状に形成された発泡機本体３と、該発泡機本体の先端側に設けられた発泡用網５と、前記発泡機本体内部の後端側に設けられ、前記発泡用網に向って泡水溶液ｗを放射する放射ノズルと、を備えた高膨張泡消火設備であって；前記発泡機本体の内壁面３ｆに、該内壁面に沿って前記発泡用網側へ流れる前記泡水溶液の流速を低下させる流速抵抗体７を設ける。【選択図】図４
2009195596.tif 000002
【特許請求の範囲】
【請求項１】
筒状に形成された発泡機本体と、該発泡機本体の先端側に設けられた発泡用網と、前記発泡機本体内部の後端側に設けられ、前記発泡用網に向って泡水溶液を放射する放射ノズルと、を備えた高膨張泡消火設備であって；
前記発泡機本体の内壁面に、該内壁面に沿って前記発泡用網側へ流れる前記泡水溶液の流速を低下させる流速抵抗体を設けたことを特徴とする高膨張泡消火設備。
【請求項２】
前記流速抵抗体は、前記放射ノズルより発泡用網側に設けられていることを特徴とする請求項１記載の高膨張泡消火設備。
【請求項３】
前記流速抵抗体は、前記発泡機本体と相似形の筒体から構成され、該筒体の外径は、前記発泡機本体の内径と略同じ大きさに形成されていることを特徴とする請求項１又は２記載の高膨張泡消火設備。
【請求項４】
前記流速抵抗体は、パンチングメタル、起立片穴開き板、又は、ヤスリ面状板により構成されていることを特徴とする請求項１乃至３いずれかに記載の高膨張泡消火設備。
【発明の詳細な説明】
【技術分野】
【０００１】
この発明は、石油タンクのピット、石油コンビナートのカルバート、或いは、船室、船倉等に用いられる、高膨張泡消火設備に関するものである。
【背景技術】
【０００２】
泡消火設備では、放射ノズルから泡水溶液を放出し、それを発泡用網に衝突させて空気を吸い込むことにより発泡させ、この泡で火源を埋め尽くして窒息消火を行っている。ここで泡水溶液と生成された泡の体積比を示す発泡倍率が、８０以上１０００未満となるものを、高膨張泡消火設備という。
【０００３】
高膨張泡、例えば、発泡倍率５００以上で泡を発生させるためには、放射ノズルの上流側から大量の空気を取り込む必要があり、大量の空気を取り込む場合には、室外の空気を吸引する方式（「アウトサイドエア」という）が一般的である。
【０００４】
しかし、このアウトサイドエアでは、外部の空気を利用するため、建屋にダクトを貫設したり、隔壁に穴を開けて泡発生機（発泡機）を配設したりするので、コストが嵩む等の問題がある。
【０００５】
そこで、上記問題を解決するため、泡を放出する区画内の空気を吸引する方式(「インサイドエア」という)の高膨張泡消火設備が用いられている(例えば、特許文献１、参照)。
【０００６】
【特許文献１】特開平０６−１６５８３７号公報
【発明の開示】
【発明が解決しようとする課題】
【０００７】
インサイドエアの高膨張泡消火設備では、アウトサイドエアの高膨張泡消火設備に比べ、著しく発泡倍率が低下するが、その主な原因は、火災の発生により室内に発生する「煙」である。この煙は、固体の微粒子、例えば、粒径１μm以下の微粒子、となって室内に浮遊する。この微粒子が、放射区画の空気に混じって泡発生機の空気吸引部に吸引されたときに、空気と一緒になって起泡部に供給され、発泡倍率を低下させているのである。
【０００８】
本発明者は、前記問題を解決するためには、煙粒子を除去すれば良いことに気がついたが、それを除去しなくとも発泡倍率の低下を防止することができるのではないか、と考えた。
【０００９】
一般に、高膨張泡等の泡は、泡原液に含まれる界面活性剤の二層膜であり、親水領域を挟む内側薄膜と外側薄膜とから構成されているが、前記両薄膜は、並んで同時に形成されながら、空気を抱え込み泡状態になる、といわれている。そして、本件発明者は、煙粒子などの異物が存在すると、発泡倍率が良くないのは、標準設定で放射ノズルを運転した場合は、前記放射ノズルからの泡水溶液の液滴の速度が速すぎて、前記両薄膜の形成が追い付かず、前記両薄膜を並んで同時に形成することができなくなり、発泡用網の網目を通り抜けてしまうためである、と考えた。
【００１０】
前記問題の解決策として、放射圧力を標準設定よりも小さくして放射ノズルの噴射速度を落とし、泡水溶液の液滴が網目を通り難くすることが考えられる。
そこで、放射ノズルの放射圧力を変化させて所定濃度の泡水溶液の発泡状態を実験したところ、噴射圧力が、０．５Mpaでは発泡倍率が正常時に比べ１／５以下まで低下する煙条件の下で、０．２Mpaでは、４／５程度までしか低下しなかった。
【００１１】
この様に、泡水溶液の放射圧力を落とすと、発泡しやすくなるが、空気吸引量及び放射泡水溶液の量が標準設定より小さくなる。そのため、発泡量が少なくなり、所定時間内に所望の発泡量を得ることができなくなる。
【００１２】
この発明は、上記事情に鑑み、煙状況下における発泡倍率の低減を防止することを目的とする。
【課題を解決するための手段】
【００１３】
この発明は、筒状に形成された発泡機本体と、該発泡機本体の先端側に設けられた発泡用網と、前記発泡機本体内部の後端側に設けられ、前記発泡用網に向って泡水溶液を放射する放射ノズルと、を備えた高膨張泡消火設備であって；
前記発泡機本体の内壁面に、該内壁面に沿って前記発泡用網側へ流れる前記泡水溶液の流速を低下させる流速抵抗体を設けたことを特徴とする。
【００１４】
この発明の前記流速抵抗体は、前記発泡機本体と相似形の筒体から構成され、該筒体の外径は、前記発泡機本体の内径と略同じ大きさに形成されていることを特徴とする。この発明の前記流速抵抗体は、前記放射ノズルより発泡用網側に設けられていることを特徴とする。この発明の前記流速抵抗体は、パンチングメタル、起立片穴開き板、又は、ヤスリ面状板により構成されていることを特徴とする。
【発明の効果】
【００１５】
この発明は、前記発泡機本体の内壁面に、該内壁面に沿って前記発泡用網側へ流れる前記泡水溶液の流速を低下させる流速抵抗体を設けたので、放射ノズルから噴射された泡水溶液の一部は、前記流速抵抗体に接触しながら発泡用網に向う。そのため、該泡水溶液は、減速されて前記発泡用網に衝突するので、発泡倍率の低減化を防止することができる。また、放射ノズルからは、通常量の泡水溶液が噴出されるので、発泡機本体内に吸引される空気量や発泡量も十分に得ることができる。
【発明を実施するための最良の形態】
【００１６】
本発明者は、放射ノズルから噴射された泡水溶液の大部分は、直接発泡用網に衝突するが、その一部、即ち、該放射ノズルの中心軸と離れ、外側方向に向って放射される泡水溶液は、初めに、発泡機本体の内壁面に衝突する。これは、放射ノズルの放射角度にもよるが、該放射ノズルと発泡用網との間隔は、ある程度、例えば、９０ｃｍ、離れているためである。
【００１７】
発泡機本体の内壁面に当たった泡水溶液は、該内壁面にガイドされながら発泡用網側に流れるが、この内壁面は金属板等で形成されている平滑面であるので、摩擦が少ない。そのため、該内壁面にガイドされながら流下する泡水溶液の流れは、減速されることはない。この様に泡水溶液の流速が速いまま発泡用網に衝突すると、前述の通り、煙状況下では、泡は形成されにくい。
【００１８】
そこで、本発明は、泡水溶液の流速を低下させるために、前記内壁面に流速抵抗体を設けるものである。この流速抵抗体は、穴が開いていたり、起立片が立っていたりしているが、前記穴や起立片等により、流れる泡水溶液との摩擦抵抗を増加させ、内壁面に沿って流れる泡水溶液の放射エネルギを奪い、発泡用網へ当たるまでに流速を落とす様にするものである。
【００１９】
この様に、放射ノズルから放射された泡水溶液の一部は、流速抵抗体により減速された後、発泡用網に衝突するので、発泡倍率の低下を防止することができる。
前記流速抵抗体の前記内壁面への取り付けは、前記流速抵抗体を構成する板材（樹脂、金属のいずれでもよい）をボルトナット締めで取り付けても良いし、内壁面に接着剤などで貼り付けても良い。
【実施例】
【００２０】
この発明の第1実施例を図１〜３により説明する。
泡の放出区画である部屋(室)には、高膨張泡消火設備の発泡機１が設けられている。この発泡機１は、例えば、発泡倍率が５００に設定されている。
【００２１】
発泡機１は、筒状、例えば、断面方形状の発泡機本体３を備えており、該発泡機本体３の先端３ａ側には、発泡用網５が設けられている。前記発泡機本体３の後端３ｂ側には、放射ノズル６が内蔵されているが、この放射ノズル６は、前記発泡用網５から所定距離L、例えば、９０cm、離れている。前記発泡機本体３の内壁面３ｆには、流速抵抗体７が設けられている。
【００２２】
ここで流速抵抗体７とは、前記発泡機本体３の内壁面３ｆに沿って前記発泡用網側へ流れる前記泡水溶液の流速を低下させる手段である。この流速抵抗体７は、例えば、パンチングメタルにより形成され、発泡機本体３の放射ノズル６より発泡用網５側に設けられる。これは放射ノズル６から泡水溶液が円錐状に放射されるため、発泡機本体３において、放射ノズル６側の内壁面３ｆには泡水溶液があたらないので、その場所には抵抗体７が不要ということである。
【００２３】
このパンチングメタルは、図２に示すように、厚さがＨ、短辺の長さがＬｙ、長辺の長さがＬｘ、の長方形状の金属板であり、複数の抵抗穴７ａが穿設されている。前記長辺の長さＬｘは、発泡用網５と放射ノズル６との間隔Lの半分の長さL／2（例えば、４５ｃｍ）に形成されているが、前記流速抵抗体の厚さＨ、長さＬｙ、Ｌｘ、抵抗穴７ａの数、穿設位置等は、必要に応じて適宜選択される。
【００２４】
前記パンチングメタル７は、１枚ずつ発泡機本体３の内壁面３ｆに固定され、断面四角形状(筒状)の流速抵抗体になるが、予め、パンチングメタルを筒状の流速抵抗体に形成し、該流速抵抗体を前記発泡機本体３に嵌合させ、前記発泡機本体３の内壁面３ｆを覆うようにしても良い。この場合、筒状の流速抵抗体は、前記発泡機本体３の内壁面３ｆの断面と相似の方形状に形成され、その外径は、前記発泡機本体３の内径とほぼ同一大きさに形成される。
【００２５】
次に、本実施例の作動について説明する。
部屋内で火災が発生すると、図示しない火災感知器が火災を検知し、制御盤に火災信号を送出する。そうすると、該制御盤は、高膨張泡消火設備を起動させるので、発泡機本体３内に室内空気、即ち、前記発泡機１が配設されている近傍の部屋の空気Ａ、が吸引されるとともに、放射ノズル６から泡水溶液ｗが液滴となって放出される。
【００２６】
前記放射ノズル６から放出された泡水溶液ｗは、円錐状となって放出され、その外側の液滴は、流速抵抗体７に衝突して一部は流れ方向を変えられ、該流速抵抗体７にガイドされながら発泡用網５に向って進行し、該発泡用網５に衝突して発泡する。
【００２７】
この時、前記泡水溶液ｗは、抵抗穴７ａにより抵抗を受けながら進行するので、その流速は次第に低減され、放射エネルギが減殺された状態で発泡用網５に衝突する。そのため、発泡倍率の低下を軽減することができる。
【００２８】
この発明の第２実施例を図５により説明するが、図１〜図４と同一図面符号は、その名称も機能も同一である。
この実施例と第１実施例との相違点は、流速抵抗体として、パンチングメタルの代わりに、起立片穴開き板１７を用いたことである。
【００２９】
ここで、起立片穴開き板１７とは、おろし金のように、複数の起立片１７ａを平板体から切り起こして、抵抗穴１７ｂを開けたものをいうが、この起立片１７ａの数、幅、起立角度、等は、流速抵抗の大きさを考慮して、適宜選択される。
この起立片穴開き板１７を用いると、泡水溶液は起立片１７ａに衝突して流れ方向を変えられながら進行すると共に、抵抗穴１７ｂの抵抗を受けながら進行するので、その流速は大きく減速された状態で発泡用網に衝突する。
【００３０】
この発明の第３実施例を図６により説明するが、図１〜図４と同一図面符号は,その名称も機能も同一である。
この実施例と前記１実施例との相違点は、流速抵抗体として、パンチングメタルを用いる代わりに、ヤスリ面状板２７を用いたことである。
【００３１】
ここでヤスリ面状板２７とは、布ヤスリのように、表面２７ａがザラザラ(凹凸状態)し、摩擦係数が高いものをいう。前記表面２７ａの凹凸の程度は、摩擦抵抗を考慮して適宜選択される。
【図面の簡単な説明】
【００３２】
【図１】本発明の第１実施例を示す縦断面図である。
【図２】流速抵抗体の斜視図である。
【図３】図１のII-II線断面図である。
【図４】図１の要部拡大図である。
【図５】本発明の第２実施例を示す図で、流速抵抗体の拡大縦断面図である。
【図６】本発明の第３実施例を示す図で、流速抵抗体の拡大縦断面図である。
【符号の説明】
【００３３】
１      発泡機
３      発泡機本体
５      発泡用網
６      放射ノズル
７      流速抵抗体
ｗ      泡水溶液
【図１】
2009195596.tif 000003
【図２】
2009195596.tif 000004
【図３】
2009195596.tif 000005
【図４】
2009195596.tif 000006
【図５】
2009195596.tif 000007
【図６】
2009195596.tif 000008